(57)【特許請求の範囲】
【請求項１】
無線周波数カードの固有ＩＤを生成する固有ＩＤ生成装置において、
無線周波数カードを認識するカード認識部と、
認識された前記無線周波数カードに複数の無線周波数プロトコルのそれぞれに対応する複数の命令語を伝送する命令語伝送部と、
前記無線周波数カードから前記複数の命令語の少なくともいずれか一つ以上に対する応答を受信する応答受信部と、
受信された前記応答に基づいて前記無線周波数カードの固有ＩＤを生成する固有ＩＤ生成部とを含む固有ＩＤ生成装置。
【請求項２】
前記命令語伝送部は、第１無線周波数プロトコルに対応する第１命令語を前記無線周波数カードに伝送し、第２無線周波数プロトコルに対応する第２命令語を前記無線周波数カードに伝送する請求項１に記載の固有ＩＤ生成装置。
【請求項３】
前記固有ＩＤ生成部は、前記無線周波数カードから前記第１命令語に対応する第１応答を受信した場合、前記第１無線周波数プロトコルに対応するＩＤを前記無線周波数カードの固有ＩＤとして生成し、
前記無線周波数カードから前記第２命令語に対応する第２応答を受信した場合、前記第２無線周波数プロトコルに対応するＩＤを前記無線周波数カードの固有ＩＤとして生成する請求項２に記載の固有ＩＤ生成装置。
【請求項４】
前記命令語伝送部は、第１類型の命令語及び第２類型の命令語を前記無線周波数カードに伝送し、
前記応答受信部は、前記第１類型の命令語に対する応答及び前記第２類型の命令語に対する応答を受信する請求項１から３のいずれか1項に記載の固有ＩＤ生成装置。
【請求項５】
前記第１類型の命令語は、ポーリング（ｐｏｌｌｉｎｇ）命令語であり、前記第２類型の命令語は、選択（ＳＥＬＥＣＴ）命令語である請求項４に記載の固有ＩＤ生成装置。
【請求項６】
前記命令語伝送部は、複数のポーリング命令語のうち第１無線周波数プロトコルに対応する第１ポーリング命令語を前記無線周波数カードに伝送し、第２無線周波数プロトコルに対応する第２ポーリング命令語を前記無線周波数カードに伝送する請求項１から５のいずれか１項に記載の固有ＩＤ生成装置。
【請求項７】
前記固有ＩＤ生成部は、前記第１ポーリング命令語または前記第２ポーリング命令語のいずれか一つに対する応答を利用して前記固有ＩＤの第１パートを決定し、選択命令語に対する応答に基づいて前記固有ＩＤの第２パートを決定し、決定された前記第１パートと決定された前記第２パートとの組み合わせを通じて前記固有ＩＤを生成する請求項６に記載の固有ＩＤ生成装置。
【請求項８】
前記第１ポーリング命令語は、ＲＥＱＡ（ＲＥＱｕｅｓｔ  Ａ）命令語及びＷＵＰＡ（Ｗａｋｅ−ＵＰ  Ａ）命令語の少なくともいずれか一つ以上であり、
前記第２ポーリング命令語は、ＲＥＱＢ（ＲＥＱｕｅｓｔ  Ｂ）命令語及びＷＵＰＢ（Ｗａｋｅ−ＵＰ  Ｂ）命令語の少なくともいずれか一つ以上である請求項６または７に記載の固有ＩＤ生成装置。
【請求項９】
前記命令語伝送部は、前記応答受信部で前記第１ポーリング命令語に対する応答を受信した場合、選択命令語を前記無線周波数カードに伝送する請求項６から８のいずれか1項に記載の固有ＩＤ生成装置。
【請求項１０】
前記命令語伝送部は、第１無線周波数プロトコルに対応するＲＥＱＡ（ＲＥＱｕｅｓｔ  Ａ）命令語、第１無線周波数プロトコルに対応するＷＵＰＡ（Ｗａｋｅ−ＵＰ  Ａ）命令語、第２無線周波数プロトコルに対応するＲＥＱＢ（ＲＥＱｕｅｓｔ  Ｂ）命令語、第２無線周波数プロトコルに対応するＷＵＰＢ（Ｗａｋｅ−ＵＰ  Ｂ）命令語及び第３無線周波数プロトコルに対応するポーリング命令語を伝送し、
前記命令語伝送部は、前記応答受信部で前記ＲＥＱＡ（ＲＥＱｕｅｓｔ  Ａ）命令語に対する応答または前記ＷＵＰＡ（Ｗａｋｅ−ＵＰ  Ａ）命令語に対する応答を受信した場合、前記無線周波数カードに選択命令語を伝送する請求項１から９のいずれか1項に記載の固有ＩＤ生成装置。
【請求項１１】
前記応答受信部は、認識された前記無線周波数カードの製造過程で付与された前記無線周波数カードのＩＤを受信し、前記固有ＩＤ生成部は、受信された前記応答及び受信された前記ＩＤに基づいて前記無線周波数カードの固有ＩＤを生成する請求項１から１０のいずれか1項に記載の固有ＩＤ生成装置。
【請求項１２】
前記固有ＩＤ生成部は、前記応答受信部で受信した多数の応答の少なくともいずれか一つ以上を組み合わせて生成された数字または文字のいずれか一つを含む所定コードを前記無線周波数カードを識別する固有ＩＤとして生成する請求項１から１１のいずれか1項に記載の固有ＩＤ生成装置。
【請求項１３】
前記固有ＩＤ生成部は、生成された前記所定コードを暗号化する請求項１２に記載の固有ＩＤ生成装置。
【請求項１４】
前記固有ＩＤ生成部は、生成された前記固有ＩＤを認識された前記無線周波数カードとマッピングさせる請求項１から１３のいずれか1項に記載の固有ＩＤ生成装置。
【請求項１５】
生成された前記固有ＩＤをサービス提供サーバに伝送する固有ＩＤ伝送部をさらに含む請求項１から１４のいずれか1項に記載の固有ＩＤ生成装置。
【請求項１６】
無線周波数カードの固有ＩＤを生成する識別情報生成方法において、
無線周波数カードを認識するステップと、
認識された前記無線周波数カードに複数の無線周波数プロトコルのそれぞれに対応する複数の命令語を伝送するステップと、
前記無線周波数カードから前記複数の命令語の少なくともいずれか一つ以上の命令に対する応答を受信するステップと、
受信された前記応答に基づいて前記無線周波数カードの固有ＩＤを生成するステップとを含む識別情報生成方法。
【請求項１７】
無線周波数カードの固有ＩＤを生成する固有ＩＤ生成装置において、
無線周波数カード認識装置から無線周波数カードの応答情報を受信する応答情報受信部と、
受信された前記応答情報に基づいて前記無線周波数カードの固有ＩＤを生成する固有ＩＤ生成部と、
生成された前記固有ＩＤに基づいて前記無線周波数カードに対応するサービスプロセスを行うサービス提供部とを含み、
前記応答情報は、前記無線周波数カードの無線周波数プロトコルに対応する応答情報である固有ＩＤ生成装置。
【発明の詳細な説明】
【技術分野】
【０００１】
無線周波数カードの固有ＩＤを生成する装置及び方法に関する。
【背景技術】
【０００２】
商品またはサービスを提供する企業または売場は、取り引き顧客向けのクーポンやメンバーシップカードを発行して、ポイントの積立、価額割引、無料サービスの提供などの多様なサービスを提供している。しかし、従来、クーポンやメンバーシップカードサービスの場合、ユーザは、取り引きの商店ごとにクーポンやメンバーシップカードの発行を受けて使用するので、数枚のメンバーシップカードを常に所持しなければならないという不便がある。
【０００３】
一方、このような不便を解決するために、購買領収証にＱＲコード（登録商標）あるいはバーコードを印刷し、印刷されたＱＲコード（登録商標）あるいはバーコードを撮影してポイントを積立する方法、ユーザ端末またはカードのＩＣチップメモリーにポイント情報を格納する方法、またはクレジットカードと電子スタンプを連携する方法などが提示されたが、ＱＲコード（登録商標）を撮影するか、アプリケーションをダウンロードしなければならないなどの煩わしさがある。そこで、便利でかつ効果的にポイントを積立して管理する方法が要求される。ユーザに積立ポイントを提供する方法と関連して、特許文献１には、非接触カードを利用した積立ポイントシステム及び方法の構成が開示されている。
【先行技術文献】
【特許文献】
【０００４】
【特許文献１】韓国公開特許第２００２−００３３６９８号
【発明の概要】
【発明が解決しようとする課題】
【０００５】
本発明の目的は、新しいメンバーシップカードの発給、カードにサービスアプレットの発給、または、アプリケーションのダウンロードなしにユーザが既所持の無線周波数カードを利用して、ポイントの積立、割引、無料サービスの提供などのサービスを提供することにある。また、無線周波数カードの唯一性を保障するために、固有の識別情報を生成することにある。但し、本実施例が達成しようとする技術的課題は、上記のような技術的課題に限定されることなく、また他の技術的課題が存在することができる。
【課題を解決するための手段】
【０００６】
上述した技術的課題を達成するための手段として、本発明の一実施例は、無線周波数カードを認識するカード認識部と、認識された無線周波数カードに複数の無線周波数プロトコルのそれぞれに対応する複数の命令語を伝送する命令語伝送部と、無線周波数カードから複数の命令語の少なくともいずれか一つ以上に対する応答を受信する応答受信部と、受信された応答に基づいて無線周波数カードの固有ＩＤを生成する固有ＩＤ生成部とを含む固有ＩＤ生成装置を提供することができる。
【０００７】
また、本発明の他の実施例において、無線周波数カードを認識するステップと、認識された無線周波数カードに複数の無線周波数プロトコルのそれぞれに対応する複数の命令語を伝送するステップと、無線周波数カードから複数の命令語の少なくともいずれか一つ以上の命令に対する応答を受信するステップと、受信された応答に基づいて無線周波数カードの固有ＩＤを生成するステップとを含む固有ＩＤ生成方法を提供することができる。
【０００８】
また、本発明の他の実施例において、無線周波数カード認識装置から無線周波数カードの応答情報を受信する応答情報受信部と、受信された応答情報に基づいて無線周波数カードの固有ＩＤを生成する固有ＩＤ生成部と、生成された固有ＩＤに基づいて無線周波数カードに対応するサービスプロセスを行うサービス提供部とを含む固有ＩＤ生成装置を提供することができる。
【発明の効果】
【０００９】
上述した本発明の課題の解決手段の一つによると、ユーザは、所持するカードの一つを統合識別カードとして利用することができる。無線周波数カードからの応答に基づいて、ユーザが所持する無線周波数カードの唯一性を保障する固有ＩＤを生成することができる。互いに異なる無線周波数通信プロトコル、互いに異なる無線周波数チップの製造会社、互いに異なる無線周波数カードの開発会社、または互いに異なる無線周波数カードの発給会社を有する複数のカードのうち、ユーザが所持する無線周波数カードを識別することができる。新しいカードの発給、別途のサービスアプレットの発給、または新しいアプリケーションのダウンロードなしに、ユーザが既所持の無線周波数カードを利用して、より便利にポイントの積立、割引などの多様なサービスの提供を受けることができる。
【図面の簡単な説明】
【００１０】
【図１】本発明の一実施例に係る固有ＩＤ生成システムの構成図である。
【図２】本発明の他の実施例に係る固有ＩＤ生成システムの構成図である。
【図３】本発明の一実施例に係る図１に示した固有ＩＤ生成装置の構成図である。
【図４】本発明の他の実施例に係る図２に示した固有ＩＤ生成サーバの構成図である。
【図５】本発明の一実施例に係る固有ＩＤが生成される過程を示したフローチャートである。
【図６】本発明の一実施例に係るサービスが提供される過程を示した図面である。
【図７】本発明の一実施例に係る固有ＩＤ生成方法を示した動作フローチャートである。
【図８】本発明の一実施例に係るサービスが提供される過程を示した動作フローチャートである。
【図９】本発明の一実施例に係るサービスを照会する過程を示した図面である。
【発明を実施するための形態】
【００１１】
以下では、添付の図面を参照して、本発明が属する技術分野で通常の知識を持った者が容易に実施することができるように本発明の実施例を詳しく説明する。しかし、本発明は、様々な異なる形態に具現されることができ、ここで説明する実施例に限定されない。そして、図面で本発明を明確に説明するために、説明と関係ない部分は省略し、明細書全体にわたって類似した部分については類似した図面符号を付けた。
【００１２】
明細書全体において、ある部分が他の部分と「連結」されているとすると、これは、「直接的に連結」されている場合だけでなく、その中間に他の素子を挟んで「電気的に連結」されている場合も含む。また、ある部分がある構成要素を「含む」とすると、これは、特に反対する記載がない限り、他の構成要素を除外するのではなく、他の構成要素をさらに含むことができることを意味する。
【００１３】
図１は、本発明の一実施例に係る固有ＩＤ生成システムの構成図である。図１を参照すると、固有ＩＤ生成システムは、固有ＩＤ生成装置１０、複数の無線周波数カード３０、サービス提供サーバ４０及び端末５０を含む。但し、このような図１の固有ＩＤ生成システムは、本発明の一実施例に過ぎないので、図１を通じて本発明が限定解釈されるのではなく、図１から多様な応用が可能である。
【００１４】
端末５０は、ネットワークを通じて遠隔地のサーバに接続することができる携帯用端末機として具現される。ここで、携帯用端末機は、携帯性と移動性が保障される移動通信装置であり、例えば、ＰＣＳ（Ｐｅｒｓｏｎａｌ  Ｃｏｍｍｕｎｉｃａｔｉｏｎ  Ｓｙｓｔｅｍ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＰＤＣ（Ｐｅｒｓｏｎａｌ  Ｄｉｇｉｔａｌ  Ｃｅｌｌｕｌａｒ）、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−２０００、ＣＤＭＡ（Ｃｏｄｅ  Ｄｉｖｉｓｉｏｎ  Ｍｕｌｔｉｐｌｅ  Ａｃｃｅｓｓ）−２０００、Ｗ−ＣＤＭＡ（Ｗ−Ｃｏｄｅ  Ｄｉｖｉｓｉｏｎ  Ｍｕｌｔｉｐｌｅ  Ａｃｃｅｓｓ）、Ｗｉｂｒｏ（Ｗｉｒｅｌｅｓｓ  Ｂｒｏａｄｂａｎｄ  Ｉｎｔｅｒｎｅｔ）端末、スマートフォン（Ｓｍａｒｔｐｈｏｎｅ）、スマートパッド（ＳｍａｒｔＰａｄ）、タブレットＰＣなどのような全ての種類のハンドヘルド（Ｈａｎｄｈｅｌｄ）基盤の無線通信装置を含む。また、端末５０は、ＮＦＣ（Ｎｅａｒ  Ｆｉｅｌｄ  Ｃｏｍｍｕｎｉｃａｔｉｏｎ）を実行する機器、またはＰＣなどのようなネットワークを通じて連結されることができる装置であってもよい。図１に開示された端末５０の形態は、説明の便宜のために例示されたものに過ぎないので、本願で述べる端末５０の種類及び形態が図１に示したものに限定解釈されない。
【００１５】
ネットワークは、複数の端末及びサーバのようなそれぞれのノード相互間に情報交換が可能な連結構造を意味し、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、移動通信網（Ｍｏｂｉｌｅ  Ｒａｄｉｏ  Ｃｏｍｍｕｎｉｃａｔｉｏｎ  Ｎｅｔｗｏｒｋ）などのネットワークが含まれるが、これに限定されない。
【００１６】
無線周波数カード３０は、無線周波数を利用する情報を取り交わす非接触性カードであり、ＭＩＦＡＲＥ、ＩＳＯ１４４３  Ｔｙｐｅ  Ａ、ＩＳＯ１４４３  Ｔｙｐｅ  Ｂ及びＦｅｌｉｃａ（登録商標）などのＲＦ通信プロトコルを実行するカードである。また、無線周波数カード３０の一例は、ＩＣ（Ｉｎｔｅｇｒａｔｅｄ  Ｃｉｒｃｕｉｔ）チップ、ＩＣチップを組み込んだカード、Ｃｏｍｂｉ−ＵＳＩＭ（Ｕｎｉｖｅｒｓａｌ  ｓｕｂｓｃｒｉｂｅｒ  ｉｄｅｎｔｉｔｙ  ｍｏｄｕｌｅ）、ＮＦＣ（Ｎｅａｒ  Ｆｉｅｌｄ  Ｃｏｍｍｕｎｉｃａｔｉｏｎ）コントローラを含む装置などである。また、無線周波数カード３０は、ＰＩＣＣ（Ｐｒｏｘｉｍｉｔｙ  ＩＣ  Ｃａｒｄ）と表現されてもよく、一般的なＲＦカードでもよい。このような無線周波数カード３０の形態は、説明の便宜のために例示されたものに過ぎず、これに限定されない。
【００１７】
一般的に、無線周波数カード３０は、特定システムや目的及びサービスによって作られて配布され、当該システム内のみで正常な使用が可能である。例えば、所定企業の出入りカードは、当該企業と関連した場所のみで使用されることができ、バスや地下鉄の料金の決済などの機能を提供することはできない。他に例えば、交通カードは、公共交通手段を利用する際に費用の支払いのために使用される。この時、交通カードに含まれたデータは、特定システムで付与した権限なしに任意に操作されることができない。
【００１８】
サービス提供サーバ４０は、無線周波数カード３０に対応する多様なサービスを提供する。例えば、サービス提供サーバ４０は、無線周波数カード３０を利用したメンバーシップサービス、マイレージサービス、クーポン積立サービス、地域商圏の複数の売場と連携して付随的メリットを与えるサービス、電話番号のお知らせサービス、オンライン注文／決済サービス、入場券サービス、ソーシャルコマースクーポンサービス、売場訪問チェックインサービス、所定の集まりに対する出席チェックサービスなどを提供する。
【００１９】
サービス提供サーバ４０は、例えば、無線周波数カード３０と連動した電話番号情報に基づいて広告を提供するサービスを提供することができ、現金領収証の処理のためにユーザが無線周波数カード３０を使用する場合、無線周波数カード３０に対応する電話番号情報を入力するサービス、子供が無線周波数カード３０を使用する場合、無線周波数カード３０と連動した親または保護者の電話番号情報に案内及び確認メッセージを伝送するサービスなどを提供する。また、サービス提供サーバ４０は、例えば、別途の加盟店端末を具備していない移動型事業者または伝統市場の事業者にＮＦＣ（Ｎｅａｒ  Ｆｉｅｌｄ  Ｃｏｍｍｕｎｉｃａｔｉｏｎ）を実行するスマートフォンなどの端末を通じて上記の多様なサービスを提供してもよい。但し、本発明が上記で説明した例示に限定されるものではない。
【００２０】
サービス提供サーバ４０は、無線周波数カード３０とユーザ間の連携のためにユーザの電話番号情報及びＥ−ｍａｉｌ情報を含むユーザ情報を受信する。この時、サービス提供サーバ４０は、ユーザ情報を所定売場の端末５０から受信してもよく、ユーザのＮＦＣ対応端末から直接受信してもよい。
【００２１】
サービス提供サーバ４０は、無線周波数カード３０と連携したサービス関連の情報をユーザの端末または所定売場の端末５０に伝送する。サービス提供サーバ４０は、サービス関連の情報をＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｅ  Ｓｅｒｖｉｃｅ）、Ｅ−ｍａｉｌなどの方法を通じて伝送してもよく、アプリケーションを通じてプッシュ（ＰＵＳＨ）メッセージ形態で伝送してもよい。このようなサービス関連の情報は、ユーザが直接自分の端末５０を通じてウェブページに接続して確認してもよい。サービス関連の情報の一例は、マイレージ情報、ポイント情報、使用可能なクーポン情報及び所定イベント情報などである。
【００２２】
固有ＩＤ生成装置１０は、無線周波数カード３０を認識する。この時、無線周波数カード３０は、使用されるシステムによって互いに異なるアールエフ（ＲＦ）通信プロトコルを実行する。また、同一のアールエフ通信プロトコルを実行する二つ以上の無線周波数カード３０は、互いに異なる製造会社のチップを含む。固有ＩＤ生成装置１０は、上記で例示された多様な無線周波数カード３０を認識する。
【００２３】
固有ＩＤ生成装置１０は、認識された無線周波数カード３０に複数の無線周波数プロトコルのそれぞれに対応する複数の命令語を伝送し、無線周波数カード３０から複数の命令語の少なくともいずれか一つ以上に対する応答を受信する。例えば、固有ＩＤ生成装置１０は、無線周波数カード３０が実行するプロトコル規格の水準で互いに異なる命令語によって情報を取り交わす。つまり、固有ＩＤ生成装置１０は、ＩＳＯ  １４４４３  Ｔｙｐｅ  Ａプロトコルを実行する無線周波数カード３０、ＩＳＯ  １４４４３  Ｔｙｐｅ  Ｂプロトコルを実行する無線周波数カード３０及びＦｅｌｉｃａ（登録商標）プロトコルを実行する無線周波数カード３０に互いに異なる命令語を伝送する。固有ＩＤ生成装置１０は、認識された多様な種類の無線周波数カード３０に伝送された命令語に対応する応答を受信する。
【００２４】
固有ＩＤ生成装置１０は、受信された応答に基づいて無線周波数カード３０の固有ＩＤを生成する。例えば、固有ＩＤ生成装置１０は、ＩＳＯ１４４４３  Ｔｙｐｅ  Ａプロトコルによって受信した複数の応答を組み合わせて無線周波数カード３０の固有ＩＤを生成する。このような固有ＩＤは、無線周波数カード３０を識別する良い手段となる。
【００２５】
一般的に、無線周波数カード３０は、製造過程でＩＤを有する。但し、このようなＩＤは、プロトコル水準で付与された値であり、無線周波数カード３０を発給及び管理するシステムによって互いに異なるＩＤ体系を有する。例えば、ＩＤは、無線周波数カード３０製造会社、ＩＣチップ製造会社、チップＯＳ開発会社、カード発給会社によって互いに異なる形態のＩＤ体系を有する。さらに、ある一つのプロトコルに対するＩＤを発給する時、他の一つのプロトコルに既発給されたＩＤを照会するのではないため、同一のＩＤを有する複数個の無線周波数カード３０が存在し得る。このような理由により、ある一つのシステムで全ての形態の無線周波数カード３０のＩＤを統合管理することは非常に難しく、このようなＩＤを通じて無線周波数カード３０を識別することは現実的ではない。これに対し、固有ＩＤ生成装置１０は、無線周波数カード３０製造会社、ＩＣチップ製造会社、チップＯＳ開発会社、カード発給会社によって独立的に付与されたＩＤと関係なく、無線周波数カード３０を識別する固有ＩＤを生成する。上述したように、固有ＩＤは、無線周波数カード３０を識別する良い手段となる。
【００２６】
このような図１の各構成要素について以下の図面を通じて詳しく説明する。
【００２７】
図２は、本発明の他の実施例に係る固有ＩＤ生成システムの構成図である。図２を参照すると、固有ＩＤ生成システムは、固有ＩＤ生成サーバ２０、複数の無線周波数カード３０、別途に設置された無線周波数カード認識装置６０及び端末５０を含む。この時、図２に示した複数の無線周波数カード３０及び端末５０は、図１を通じて複数の無線周波数カード３０及び端末５０について説明した内容と同一であるか、説明された内容から当業者によって容易に類推可能であるので、以下では省略する。また、図２に示した固有ＩＤ生成サーバ２０は、図１に示した固有ＩＤ生成装置１０及びサービス提供サーバ４０の全ての動作を行うので、固有ＩＤ生成サーバ２０について以下で説明しない内容は、図１の固有ＩＤ生成装置１０及びサービス提供サーバ４０について説明した内容に代わる。
【００２８】
無線周波数カード認識装置６０は、無線周波数カード３０と当該プロトコルで通信することができる多様な装置であってもよく、ＮＦＣコントローラが搭載された端末であってもよい。無線周波数カード認識装置６０は、一般的なＲＦリーダー機であり、ＲＦリーダー機は、一般的にＰＣＤ（Ｐｒｏｘｉｍｉｔｙ  Ｃｏｕｐｌｉｎｇ  Ｄｅｖｉｃｅ）を意味する。しかし、これに限定されず、多様な無線周波数カード認識装置６０の形態が存在することができる。
【００２９】
固有ＩＤ生成サーバ２０は、無線周波数カード認識装置６０から無線周波数カード３０の応答情報を受信し、受信した応答情報に基づいて無線周波数カード３０の固有ＩＤを生成する。例えば、固有ＩＤ生成サーバ２０は、ＲＦリーダー機からＩＳＯ  １４４４３  Ｔｙｐｅ  Ｂプロトコルに対応する無線周波数カード３０の応答情報を受信し、受信した応答情報に基づいて固有ＩＤを生成する。
【００３０】
固有ＩＤ生成サーバ２０は、生成された固有ＩＤに基づいて無線周波数カード３０に対応するサービスプロセスを行う。例えば、固有ＩＤ生成サーバ２０は、生成された固有ＩＤに対応する無線周波数カード３０に所定マイレージと関連のデータを提供する。
【００３１】
このような固有ＩＤ生成サーバ２０の動作については、図４で詳しく説明する。
【００３２】
図３は、本発明の一実施例に係る図１に示した固有ＩＤ生成装置１０の構成図である。図３を参照すると、無線周波数カード３０の固有ＩＤを生成する固有ＩＤ生成装置１０は、カード認識部１１、命令語伝送部１２、応答受信部１３、固有ＩＤ生成部１４及び固有ＩＤ伝送部１５を含む。
【００３３】
カード認識部１１は、無線周波数カード３０を認識する。例えば、カード認識部１１は、Ｍｉｆａｒｅ、ＩＳＯ  １４４４３  Ｔｙｐｅ  Ａ、ＩＳＯ  １４４４３  Ｔｙｐｅ  Ｂ、Ｆｅｌｉｃａ（登録商標）などの通信プロトコルを実行する無線周波数カード３０、または、ＭｉｆａｒｅとＩＳＯ  １４４４３  Ｔｙｐｅ  Ａを共に実行するなどの複数のプロトコルを同時に実行する多様な無線周波数カード３０を認識する。
【００３４】
命令語伝送部１２は、認識された無線周波数カード３０に複数の無線周波数プロトコルのそれぞれに対応する複数の命令語を伝送する。例えば、命令語伝送部１２は、複数のプロトコルに定義された、ＲＥＱＡ（Ｒｅｑｕｅｓｔ  Ａ  ｃｏｍｍａｎｄ）、ＷＵＰＡ（Ｗａｋｅ−ＵＰ  Ａ  ｃｏｍｍａｎｄ）、ＲＥＱＢ（Ｒｅｑｕｅｓｔ  Ｂ  ｃｏｍｍａｎｄ）、ＷＵＰＢ（Ｗａｋｅ−ＵＰ  Ｂ  ｃｏｍｍａｎｄ）、Ｐｏｌｌｉｎｇ、ＡＮＴＩＣＯＬＬＩＳＩＯＮ、ＳＥＬＥＣＴ、ＲＡＴＳ（Ｒｅｑｕｅｓｔ  ｆｏｒ  Ａｎｓｗｅｒ  Ｔｏ  Ｓｅｌｅｃｔ）及び複数のＡＰＤＵ（Ａｐｐｌｉｃａｔｉｏｎ  Ｐｒｏｔｏｃｏｌ  Ｄａｔａ  Ｕｎｉｔ）命令語などを含む複数の命令語を認識された無線周波数カード３０に伝送する。
【００３５】
命令語伝送部１２は、第１無線周波数プロトコルに対応する第１命令語を無線周波数カード３０に伝送し、第２無線周波数プロトコルに対応する第２命令語を無線周波数カードに伝送する。一例として、命令語伝送部１２は、ＩＳＯ  １４４４３  Ｔｙｐｅ  Ａプロトコルに対応するＲＥＱＡ、ＷＵＰＡ、ＳＥＬＥＣＴ、ＲＡＴＳ（Ｒｅｑｕｅｓｔ  ｆｏｒ  Ａｎｓｗｅｒ  Ｔｏ  Ｓｅｌｅｃｔ）などの命令語を無線周波数カード３０に伝送し、ＩＳＯ  １４４４３  Ｔｙｐｅ  Ｂプロトコルに対応するＲＥＱＢ、ＷＵＰＢ、ＳＥＬＥＣＴなどの命令語を無線周波数カード３０に伝送し、Ｆｅｌｉｃａ（登録商標）プロトコルに対応するＰｏｌｌｉｎｇ命令語を無線周波数カード３０に伝送する。
【００３６】
命令語伝送部１２は、第１類型の命令語及び第２類型の命令語を無線周波数カード３０に伝送する。ここで、第１類型の命令語は、無線周波数カード３０を感知するためのポーリング（Ｐｏｌｌｉｎｇ）命令語であり、第２類型の命令語は、選択（ＳＥＬＥＣＴ）命令語である。命令語伝送部１２は、応答受信部１３で第１類型の命令語に対する応答を受信した場合、第２類型の命令語を無線周波数カード３０に伝送する。例えば、命令語伝送部１２は、ＩＳＯ  １４４４３  Ｔｙｐｅ  Ａプロトコルのポーリング命令語に対応するＲＥＱＡ命令語を無線周波数カード３０に伝送し、応答受信部１３でＲＥＱＡ命令語に対する応答を受信した場合、ＡＮＴＩＣＯＬＬＩＳＩＯＮ命令語、及び選択命令語であるＳＥＬＥＣＴ命令語を無線周波数カード３０に伝送する。
【００３７】
命令語伝送部１２は、複数のポーリング命令語のうち第１無線周波数プロトコルに対応する第１ポーリング命令語を無線周波数カード３０に伝送し、第２無線周波数プロトコルに対応する第２ポーリング命令語を無線周波数カードに伝送する。第１ポーリング命令語は、ＲＥＱＡ命令語及びＷＵＰＡ命令語の少なくともいずれか一つ以上を含み、第２ポーリング命令語は、ＲＥＱＢ命令語及びＷＵＰＢ命令語の少なくともいずれか一つ以上を含む。そして、命令語伝送部１２は、応答受信部１３で第１ポーリング命令語に対する応答を受信した場合、選択命令語を無線周波数カード３０に伝送する。一例として、命令語伝送部１２は、Ｍｉｆａｒｅ、ＩＳＯ  １４４４３  Ｔｙｐｅ  Ａまたは二つのプロトコルを同時に実行するポーリング命令語であるＲＥＱＡ命令語を無線周波数カード３０に伝送し、ＩＳＯ  １４４４３  Ｔｙｐｅ  Ｂプロトコルのポーリング命令語であるＲＥＱＢ命令語を無線周波数カード３０に伝送し、Ｆｅｌｉｃａ（登録商標）プロトコルのポーリング命令語であるＰｏｌｌｉｎｇ命令語を無線周波数カード３０に伝送する。また、命令語伝送部１２は、応答受信部１３でＲＥＱＡ命令語に対する応答を受信した場合、ＡＮＴＩＣＯＬＬＩＳＩＯＮ命令語及びＳＥＬＥＣＴ命令語を無線周波数カード３０に伝送する。
【００３８】
命令語伝送部１２は、第１無線周波数プロトコルに対応するＲＥＱＡ命令語、第１無線周波数プロトコルに対応するＷＵＰＡ命令語、第２無線周波数プロトコルに対応するＲＥＱＢ命令語、第２無線周波数プロトコルに対応するＷＵＰＢ命令語及び第３無線周波数プロトコルに対応するポーリング命令語を伝送する。そして、命令語伝送部１２は、応答受信部１３で第１周波数プロトコルに対応するＲＥＱＡ命令語に対する応答またはＷＵＰＡ命令語に対する応答を受信した場合、無線周波数カード３０に当該第１無線周波数プロトコルに対応する選択命令語を伝送する。
【００３９】
応答受信部１３は、無線周波数カード３０から複数の命令語の少なくともいずれか一つ以上に対する応答を受信する。例えば、応答受信部１３は、伝送された複数の命令語に対する応答として、無線周波数カード３０からＡＴＱＡ（Ａｎｓｗｅｒ  Ｔｏ  Ｒｅｑｕｅｓｔ、Ｔｙｐｅ  Ａ）、ＡＴＱＢ（Ａｎｓｗｅｒ  Ｔｏ  Ｒｅｑｕｅｓｔ、Ｔｙｐｅ  Ｂ）、ＵＩＤ（Ｕｎｉｑｕｅ  Ｉｄｅｎｔｉｆｉｅｒ）、ＳＡＫ（Ｓｅｌｅｃｔ  ＡｃＫｎｏｗｌｅｄｇｅ、Ｔｙｐｅ  Ａ）、ＡＴＳ（Ａｎｓｗｅｒ  Ｔｏ  Ｓｅｌｅｃｔ）及び複数のＡＰＤＵ命令語に対する応答を受信する。
【００４０】
応答受信部１３は、第１類型の命令語に対する応答及び第２類型の命令語に対する応答を受信する。一例として、応答受信部１３は、ＲＥＱＡまたはＷＵＰＡ命令語に対する応答としてＡＴＱＡを受信し、または、ＳＥＬＥＣＴ命令語に対する応答としてＳＡＫを受信する。
【００４１】
応答受信部１３は、認識された無線周波数カード３０の製造過程で付与された無線周波数カードのＩＤを受信する。例えば、応答受信部１３は、ＩＳＯ  １４４４３  Ｔｙｐｅ  ＡプロトコルのＡＮＴＩＣＯＬＬＩＳＩＯＮ命令語に対する応答として認識された無線周波数カード３０のＵＩＤを受信する。他に例えば、応答受信部１３は、ＩＳＯ  １４４４３  Ｔｙｐｅ  ＢプロトコルのＡＮＴＩＣＯＬＬＩＳＩＯＮ命令語に対する応答として認識された無線周波数カード３０のＰＵＰＩ（Ｐｓｅｕｄｏ−Ｕｎｉｑｕｅ  ＰＩＣＣ  Ｉｄｅｎｔｉｆｉｅｒ）を受信する。また、他に例えば、応答受信部１３は、Ｆｅｌｉｃａ（登録商標）プロトコルのＩＤｍ（Ｍａｎｕｆａｃｔｕｒｅ  ＩＤ  ｏｆ  ａｃｑｕｉｒｅｄ  Ｓｙｓｔｅｍ）またはＰＭｍ（Ｍａｎｕｆａｃｔｕｒｅ  Ｐａｒａｍｅｔｅｒ  ｏｆ  ａｃｑｕｉｒｅｄ  Ｓｙｓｔｅｍ）を受信する。
【００４２】
固有ＩＤ生成部１４は、受信された応答に基づいて無線周波数カード３０の固有ＩＤを生成する。例えば、固有ＩＤ生成部１４は、ＩＳＯ  １４４４３  Ｔｙｐｅ  Ａプロトコルの場合、ＲＥＱ命令語に対する応答であるＡＴＱＡ、ＡＮＴＩＣＯＬＬＩＳＩＯＮ命令語に対する応答であるＵＩＤ、ＳＥＬＥＣＴ命令語に対する応答であるＳＡＫを組み合わせて無線周波数カード３０の固有ＩＤを生成する。そして、固有ＩＤ生成部１４は、ＲＡＴＳ命令語に対する応答であるＡＴＳ及び複数のＡＰＤＵ命令語に対する応答をさらに含んで、無線周波数カード３０の固有ＩＤを生成する。
【００４３】
固有ＩＤ生成部１４は、無線周波数カード３０から第１命令語に対応する第１応答を受信した場合、第１無線周波数プロトコルに対応するＩＤを無線周波数カードの固有ＩＤとして生成し、第２命令語に対応する第２応答を受信した場合、第２無線周波数プロトコルに対応するＩＤを無線周波数カードの固有ＩＤとして生成する。一例として、固有ＩＤ生成部１４は、ＲＥＱＡ命令語に対応するＡＴＱＡを受信した場合、ＩＳＯ  １４４４３  Ｔｙｐｅ  Ａプロトコルに対応する固有ＩＤを無線周波数カード３０の固有ＩＤとして生成し、ＲＥＱＢ命令語に対応するＡＴＱＢを受信した場合、ＩＳＯ  １４４４３  Ｔｙｐｅ  Ｂプロトコルに対応する固有ＩＤを無線周波数カード３０の固有ＩＤとして生成する。または、Ｆｅｌｉｃａ（登録商標）プロトコルの命令語に対応する応答を受信した場合、Ｆｅｌｉｃａ（登録商標）プロトコルに対応する固有ＩＤを無線周波数カード３０の固有ＩＤとして生成する。
【００４４】
固有ＩＤ生成部１４は、第１ポーリング命令語または第２ポーリング命令語のいずれか一つに対する応答を利用して固有ＩＤの第１パートを決定し、選択命令語に対する応答に基づいて固有ＩＤの第２パートを決定し、決定された第１パートと決定された第２パートとの組み合わせを通じて固有ＩＤを生成する。例えば、固有ＩＤ生成部１４は、ＩＳＯ  １４４４３  Ｔｙｐｅ  Ａプロトコルのポーリング命令語であるＲＥＱＡ命令語に対する応答であるＡＴＱＡを固有ＩＤの第１パートと決定し、ＡＮＴＩＣＯＬＬＳＩＯＮ命令語に対する応答であるＵＩＤ及びＳＥＬＥＣＴ命令語に対する応答であるＳＡＫを固有ＩＤの第２パートと決定し、ＡＴＱＡ、ＵＩＤ、ＳＡＫの組み合わせで固有ＩＤとして生成する。必要に応じて、ＡＴＳ及びＡＰＤＵ命令語に対する応答をさらに含んで固有ＩＤとして生成する。
【００４５】
また、固有ＩＤ生成部１４は、受信された応答及び受信されたＩＤに基づいて無線周波数カード３０の固有ＩＤを生成する。無線周波数カード３０から受信されたＩＤは、プロトコルによって互いに異なる大きさ（ｂｙｔｅ）を有する。例えば、固有ＩＤ生成部１４は、Ｍｉｆａｒｅ及びＩＳＯ  １４４４３  Ｔｙｐｅ  Ａプロトコルの場合、無線周波数カードによって４ｂｙｔｅ、７ｂｙｔｅまたは１０ｂｙｔｅの大きさを有するＵＩＤに基づいて固有ＩＤを生成し、ＩＳＯ  １４４４３  Ｔｙｐｅ  Ｂプロトコルの場合、ＰＵＰＩ（Ｐｓｅｕｄｏ−Ｕｎｉｑｕｅ  ＰＩＣＣ  Ｉｄｅｎｔｉｆｉｅｒ）、Ａｐｐｌｉｃａｔｉｏｎ  Ｄａｔａ及びＰｒｏｔｏｃｏｌ  Ｉｎｆｏで構成された１１ｂｙｔｅの大きさを有するＵＩＤに基づいて固有ＩＤを生成する。そして、Ｆｅｌｉｃａ（登録商標）プロトコルの場合、ＩＤｍ（Ｍａｎｕｆａｃｔｕｒｅ  ＩＤ  ｏｆ  ａｃｑｕｉｒｅｄ  Ｓｙｓｔｅｍ）及びＰＭｍ（Ｍａｎｕｆａｃｔｕｒｅ  Ｐａｒａｍｅｔｅｒ  ｏｆ  ａｃｑｕｉｒｅｄ  Ｓｙｓｔｅｍ）で構成された１６ｂｙｔｅの大きさを有するＵＩＤに基づいて無線周波数カード３０の固有ＩＤを生成する。
【００４６】
固有ＩＤ生成部１４は、応答受信部１３で受信した多数の応答の少なくともいずれか一つ以上を組み合わせて生成された数字または文字の少なくともいずれか一つ以上を含む所定コードを無線周波数カード３０を識別する固有ＩＤとして生成する。一例として、応答受信部１３で受信したＡＴＱＡ、ＡＴＱＢ、ＵＩＤ、ＳＡＫ及びＡＴＳを含む複数の応答を少なくとも一つ以上組み合わせて生成された所定コードを固有ＩＤとして生成する。
【００４７】
固有ＩＤ生成部１４は、生成されたコードで構成された固有ＩＤを暗号化する。暗号化する場合、セキュリティ性が高まり、生成された固有ＩＤの結果値が一定の長さを有するという利点がある。そして、固有ＩＤ生成部１４は、生成された固有ＩＤを認識された無線周波数カード３０とマッピングさせる。
【００４８】
固有ＩＤ伝送部１５は、生成された固有ＩＤをサービス提供サーバ４０に伝送する。例えば、固有ＩＤ伝送部１５は、生成された無線周波数カード３０の固有ＩＤをサービス提供サーバ４０に伝送し、サービス提供サーバ４０は、固有ＩＤを受信して固有ＩＤにマッピングされた無線周波数カード３０に多様なサービスを提供する。
【００４９】
図４は、本発明の他の実施例に係る図２に示した固有ＩＤ生成サーバ２０の構成図である。図４を参照すると、固有ＩＤ生成サーバ２０は、応答情報受信部２１、固有ＩＤ生成部２２及びサービス提供部２３を含む。
【００５０】
応答情報受信部２１は、別途設置された無線周波数カード認識装置６０から無線周波数カード３０の応答情報を受信する。この時、応答情報は、無線周波数カード３０の無線周波数プロトコルに定義された複数の命令語に対応する応答情報である。そして、固有ＩＤ生成部２２は、受信された応答情報に基づいて無線周波数カード３０の固有ＩＤを生成する。
【００５１】
但し、別途設置された無線周波数カード認識装置６０から応答情報を受信する応答情報受信部２１及び固有ＩＤを生成する固有ＩＤ生成部２２の動作は、図３に示した応答受信部１３及び固有ＩＤ生成部１４について説明した内容と同一であるか、説明された内容から当業者によって容易に類推可能であるので、以下では省略する。
【００５２】
サービス提供部２３は、生成された固有ＩＤに基づいて無線周波数カードに対応するサービスプロセスを行う。
【００５３】
例えば、サービス提供部２３で行うサービスプロセスは、固有ＩＤ生成部２２で生成された固有ＩＤ、売場の端末５０から伝送を受けたユーザ識別情報及びユーザ情報と連携したサービス情報をデータベースに格納し、ユーザ識別情報と連携したサービス情報をユーザ端末５０及び売場の端末５０を通じて照会可能にし、必要な場合、ユーザサービス情報をユーザ端末５０にＳＭＳ（Ｓｈｏｒｔ  ｍｅｓｓａｇｅ  Ｓｅｒｖｉｃｅ）、ＭＭＳ（Ｍｕｌｔｉｍｅｄｉａ  Ｍｅｓｓａｇｅ  Ｓｅｒｖｉｃｅ）、ＳＮＳ（Ｓｏｃｉａｌ  Ｎｅｔｗｏｒｋ  Ｓｅｒｖｉｃｅ）、Ｅ−ｍａｉｌなどの方法を通じて提供する。この時、ユーザ識別情報は、電話番号情報またはログインのためのＩＤ及びパスワード情報を含み、ユーザと連携したサービス情報は、マイレージ、ポイントの積立、使用可能な割引クーポン及び無料使用クーポンなどの情報を含む。
【００５４】
また、他に例えば、サービスプロセスは、固有ＩＤ生成部２２で生成された無線周波数カード３０の固有ＩＤを識別子とするユーザアカウント情報を新規で生成し、固有ＩＤとユーザアカウント情報を連結するための所定乱数を生成して格納し、売場端末５０に当該無線周波数カード３０が初めて登録されるカードであることを通知し、売場端末５０からユーザの電話番号情報及びＥ−Ｍａｉｌ情報を含むユーザ情報の入力を受け、入力を受けたユーザの電話番号情報に基づいて、ユーザ端末５０に既生成された所定乱数及び登録案内と関連した文句を発送し、売場端末５０からマイレージの積立または使用情報の入力を受けて更新する。生成された所定乱数及び登録案内と関連の文句は、入力を受けたユーザのＥ−Ｍａｉｌ情報に基づいてＥ−Ｍａｉｌを通じて発送してもよい。
【００５５】
上記例の他にも、多様なサービス及びこれによるサービスプロセスがさらに存在する。
【００５６】
図５は、本発明の一実施例に係る固有ＩＤが生成される過程を示したフローチャートである。図５を参照すると、固有ＩＤ生成装置１０は、無線周波数カード３０の感知のための複数のプロトコルに対応するポーリング命令語を繰り返して伝送（Ｓ５０１）する。無線周波数カード３０からＲＥＱＡまたはＷＵＰＡ命令語に応答するＡＴＱＡを受信（Ｓ５０２）する場合、無線周波数カード３０がＭｉｆａｒｅまたはＩＳＯ  １４４４３  Ｔｙｐｅ  Ａプロトコルを使用すると認知（Ｓ５０３）し、認知した無線周波数カードにＡＮＴＩＣＯＬＬＩＳＩＯＮ命令語を伝送して、ＵＩＤを受信（Ｓ５０４）し、ＳＥＬＥＣＴ命令語を伝送（Ｓ５０５）して、伝送された命令語に対する応答としてＳＡＫ（Ｓ５０６）を受信する。受信されたＡＴＱＡ、ＵＩＤ及びＳＡＫを組み合わせて無線周波数カード３０の固有ＩＤを生成（Ｓ５０７）する。
【００５７】
無線周波数カード３０からＲＥＱＢまたはＷＵＰＢ命令語に応答するＡＴＱＢを受信（Ｓ５０８）する場合、無線周波数カード３０がＩＳＯ  １４４４３  Ｔｙｐｅ  Ｂプロトコルを使用すると認知（Ｓ５０９）し、認知した無線周波数カード３０にＡＮＴＩＣＯＬＬＩＳＩＯＮ命令語を伝送して、ＵＩＤを受信（Ｓ５１０）し、受信されたＡＴＱＢ及びＵＩＤを組み合わせて無線周波数カード３０の固有ＩＤを生成（Ｓ５１１）する。
【００５８】
無線周波数カード３０からＰｏｌｌｉｎｇ命令語に対する応答を受信（Ｓ５１２）する場合、無線周波数カード３０がＦｅｌｉｃａ（登録商標）プロトコルを使用すると認知（Ｓ５１３）し、認知した無線周波数カード３０のＵＩＤを受信（Ｓ５１４）する。そして、Ｐｏｌｌｉｎｇ命令語に対する応答及び受信したＵＩＤを組み合わせて無線周波数カードの固有ＩＤを生成（Ｓ５１５）する。
【００５９】
表１は、生成された無線周波数カード３０の固有ＩＤの複数のパートの一例を示す。
【００６０】
【表１】
0006016253.tif 000002
【００６１】
表１を参照すると、生成された無線周波数カード３０の固有ＩＤは、複数のプロトコルのそれぞれに対応する所定応答の組み合わせで構成される。例えば、ＩＳＯ  １４４４３  Ｔｙｐｅ  Ａプロトコルを実行する無線周波数カード３０の固有ＩＤは、第１パート〜第５パートで構成される。第１パートは、ＲＥＱＡまたは、ＷＵＰＡ命令語に対する応答であるＡＴＱＡを受信する時の所定識別コード（例えば、００１または００１１）であり、第２パートは、ＡＮＴＩＣＯＬＬＩＳＩＯＮ命令語に対する応答であるＵＩＤであり、第３パートは、ＳＥＬＥＣＴ命令に対する応答である２０ｈ値を有するＳＡＫであり、第４パートは、ＲＡＴＳ命令語に対する応答であるＡＴＳの値であり、第５パートは、ＡＰＤＵ命令語の一種であるＧＥＴＤＡＴＡ命令語に対する応答データである。但し、本発明の表１の内容に限定解釈されるものではない。即ち、本発明の多様な実施例によると、表１の内容は異なって決定される。例えば、本発明の一実施例によると、無線周波数カードが所定カード製造会社によって作られた場合、Ｍｉｆａｒｅプロトコルで第３パートのＳＡＫは８８ｈと決定される。他に例えば、本発明の一実施例によると、Ｍｉｆａｒｅプロトコルで第２パートのＵＩＤは、Ｔａｇ値を含む場合、Ｔａｇ値によって４、８または１２Ｂｙｔｅのいずれか一つである。
【００６２】
図５を通じて説明された実施例は、無線周波数カード３０の固有ＩＤを生成する一実施例に過ぎないので、これに限定されるものではない。
【００６３】
図６は、本発明の一実施例に係るサービスが提供される過程を示した図面である。図６を参照すると、顧客が所持する無線周波数カード３０を固有ＩＤ生成装置１０に接近（Ｓ６０１）させれば、固有ＩＤ生成装置１０は、接近した無線周波数カード３０を認識（Ｓ６０２）し、認識した無線周波数カード３０の固有ＩＤを生成（Ｓ６０３）して、生成された固有ＩＤをサービス提供サーバ４０に伝送（Ｓ６０４）する。サービス提供サーバ４０は、受信された固有ＩＤとマッチングされる無線周波数カード３０の登録有無を確認（Ｓ６０５）して、無線周波数カード３０が登録されていれば、無線周波数カード３０と連携したポイント情報を加盟店端末５０に伝送（Ｓ６０６）し、加盟店端末５０からポイント使用情報の伝送（Ｓ６０７）を受ける。サービス提供サーバ４０は、受信されたポイント使用情報に基づいて無線周波数カード３０のポイント情報を更新（Ｓ６０８）し、以後、顧客端末５０と加盟店端末５０を通じて更新されたポイント情報を確認（Ｓ６０９）する。
【００６４】
但し、図６に示した実施例は、無線周波数カード３０を利用するサービスの一実施例であり、本発明が図６に示した実施例に限定されて解釈されるものではない。
【００６５】
図７は、本発明の一実施例に係る固有ＩＤ生成方法を示した動作フローチャートである。図７に示した実施例に係る固有ＩＤ生成方法は、図３に示した固有ＩＤ生成装置１０で時系列で処理される段階を含む。従って、以下では省略された内容であるとしても、図３に示した固有ＩＤ生成装置１０について以上で記述した内容は、図７に示した実施例に係る固有ＩＤ生成方法にも適用される。
【００６６】
図７を参照すると、無線周波数カード３０の識別情報を生成する識別情報生成方法は、無線周波数カードを認識（Ｓ７０１）し、認識された無線周波数カード３０に複数の無線周波数プロトコルのそれぞれに対応する複数の命令語を伝送（Ｓ７０２）し、無線周波数カード３０から複数の命令語の少なくともいずれか一つ以上の命令に対する応答を受信（Ｓ７０３）し、受信された応答に基づいて無線周波数カード３０の固有ＩＤを生成（Ｓ７０４）する。
【００６７】
図７を通じて説明された実施例に係る固有ＩＤ生成方法は、コンピューターによって実行されるプログラムモジュールのようなコンピューターによって実行可能な命令語を含む記録媒体の形態としても具現される。コンピューター読取可能媒体は、コンピューターによってアクセス可能な任意の可用媒体であり、揮発性及び非揮発性媒体、分離型及び非分離型媒体を全て含む。また、コンピューター読取可能媒体は、コンピューター格納媒体及び通信媒体を全て含む。コンピューター格納媒体は、コンピューター読取可能命令語、データ構造、プログラムモジュールまたはその他のデータのような情報の格納のための任意の方法または技術で具現された揮発性及び非揮発性、分離型及び非分離型媒体を全て含む。通信媒体は、典型的にコンピューター読取可能命令語、データ構造、プログラムモジュール、または搬送波のような変調されたデータ信号のその他のデータ、またはその他の伝送メカニズムを含み、任意の情報伝達媒体を含む。
【００６８】
図８は、本発明の一実施例に係るサービスが提供される過程を示した動作フローチャートである。図８を参照すると、ユーザは、ユーザが既所持の無線周波数カード３０を加盟店端末と連結された固有ＩＤ生成装置１０と通信可能な距離内に位置させ、固有ＩＤ生成装置１０は、無線周波数カード３０を認識（Ｓ８０１）する。固有ＩＤ生成装置１０は、認識された無線周波数カード３０の唯一性を保障する固有ＩＤを生成（Ｓ８０２）し、生成された固有ＩＤをサービス提供サーバ４０に伝送（Ｓ８０３）する。サービス提供サーバ４０は、受信された固有ＩＤの登録有無を判別（Ｓ８０４）して、固有ＩＤが登録されていない場合、無線周波数カード３０の固有ＩＤを識別子とするユーザの新規アカウントを生成（Ｓ８０５）する。サービス提供サーバ４０で固有ＩＤと新規生成されたアカウントとの連結のための乱数を生成（Ｓ８０６）し、生成された乱数及び生成されたアカウント情報を格納（Ｓ８０７）する。以後、加盟店端末に当該無線周波数カード３０が新規格納されたことを通知（Ｓ８０８）し、加盟店端末を通じてユーザの電話番号情報及びＥ−Ｍａｉｌ情報を含むユーザ情報の入力（Ｓ８０９）を受ける。サービス提供サーバ４０は、入力された電話番号情報に基づいて既生成された乱数及びウェブサービスＵＲＬ（Ｕｎｉｆｏｒｍ  Ｒｅｓｏｕｒｃｅ  Ｌｏｃａｔｏｒ）の案内、または所定アプリケーションサービスの案内を含む案内文句を発送（Ｓ８１０）する。案内文句は、入力されたＥ−Ｍａｉｌ情報に基づいてＥ−Ｍａｉｌに発送されてもよい。
【００６９】
サービス提供サーバ４０は、固有ＩＤが登録されている場合、固有ＩＤに対応するユーザアカウントと連動したマイレージを含むポイント情報を加盟店端末に伝送（Ｓ８１１）し、加盟店端末から伝送されたポイントの積立または使用情報をサービス提供サーバ４０で受信（Ｓ８１２）する。サービス提供サーバ４０は、ユーザアカウントと連動したポイント情報を更新（Ｓ８１３）する。
【００７０】
ユーザアカウントを登録する時、ユーザがＮＦＣが実行される端末を所有している場合、加盟店端末を通じることなくユーザが直接ＮＦＣ実行端末を通じて直接無線周波数カード３０の固有ＩＤを生成して、サービス提供サーバ４０に登録させた後、サービスを利用してもよい。
【００７１】
但し、図８に示した一実施例に本発明が限定されて解釈されるものではなく、その他に多様な実施例を通じてユーザにサービスが提供されることができる。
【００７２】
図９は、本発明の一実施例に係るサービスを照会する過程を示した図面である。図９を参照すると、ユーザは、ユーザの端末を通じて固有ＩＤ生成サーバ２０に会員加入（Ｓ９０１）する。会員加入は、ＰＣまたはユーザが所持の携帯端末を通じてユーザの電話番号及びＥ−ｍａｉｌ情報を含むユーザ情報を入力することで行われ、ユーザがＮＦＣ対応端末を所持の場合、ＮＦＣ対応端末を通じて直接無線周波数カード３０の固有ＩＤを生成し、生成された固有ＩＤを固有ＩＤ生成サーバ２０に登録することで行われてもよい。
【００７３】
固有ＩＤ生成サーバ２０は、入力された情報に基づいてユーザアカウントを生成（Ｓ９０２）する。以後、ユーザが固有ＩＤ生成サーバ２０にマイレージ、クーポンなどを含むサービス情報の確認を要請（Ｓ９０３）すれば、固有ＩＤ生成サーバ２０は、ユーザアカウントを検索（Ｓ９０４）してユーザアカウントに含まれた加盟店別のサービス情報をユーザ端末に伝送（Ｓ９０５）する。
【００７４】
但し、図９で説明した一実施例に本発明が限定されて解釈されるものではない。
【００７５】
前述した本発明の説明は、例示のためのものであり、本発明が属する技術分野の通常の知識を持った者は、本発明の技術的思想や必須の特徴を変更せずとも他の具体的な形態に容易に変形可能であるということが理解できるであろう。従って、以上で記述した実施例は、全ての面で例示的なものであり、限定的ではないと理解すべきである。例えば、単一形に説明されている各構成要素は分散して実施してもよく、同様に分散したもので説明されている構成要素は結合された形態で実施してもよい。
【００７６】
本発明の範囲は、上記詳細な説明よりは後述する特許請求の範囲によって示され、特許請求の範囲の意味及び範囲、そしてその均等概念から導出される全ての変更または変更された形態が本発明の範囲に含まれると解釈されるべきである。
【図１】
0006016253.tif 000003
【図２】
0006016253.tif 000004
【図３】
0006016253.tif 000005
【図４】
0006016253.tif 000006
【図５】
0006016253.tif 000007
【図６】
0006016253.tif 000008
【図７】
0006016253.tif 000009
【図８】
0006016253.tif 000010
【図９】
0006016253.tif 000011